(57)【要約】【課題】イオンが付着される付着対象物の帯電量に応じたイオン発生部の適切な制御を実現できるイオン発生装置を提供する。【解決手段】放電極１８と、放電極１８に対向する対向電極１９と、放電極１８及び対向電極１９間に電圧を印加してイオンを発生させる電圧印加部２０を具備するイオン発生部１４を設ける。静電圧を誘起して付着対象物の帯電量を検知する非接触式の帯電量検知部２９と、帯電量検知部２９の検知結果に基づいて付着対象物の帯電量が一定となるようにイオン発生部１４の単位時間当たりのイオン発生量を制御する制御部２７を設ける。【選択図】図１
2010062159.tif 000002
【特許請求の範囲】
【請求項１】
放電極と、放電極に対向する対向電極と、放電極及び対向電極間に電圧を印加してイオンを発生させる電圧印加部を具備するイオン発生部を設け、該イオン発生部で発生したイオンを付着対象物に供給して付着させるイオン発生装置において、静電圧を誘起して付着対象物の帯電量を検知する非接触式の帯電量検知部と、該帯電量検知部の検知結果に基づいて付着対象物の帯電量が一定となるようにイオン発生部の単位時間当たりのイオン発生量を制御する制御部を設けて成ることを特徴とするイオン発生装置。
【請求項２】
上記イオン発生部は放電極に液体を供給する液体供給手段を具備して、電圧印加部により放電極及び対向電極間に電圧を印加することで放電極に供給された液体を静電霧化してイオンミストを生成する静電霧化装置であることを特徴とする請求項１に記載のイオン発生装置。
【請求項３】
上記電圧印加部は放電極及び対向電極間に一方極性の電圧を印加してイオンを発生させるものであり、制御部は、付着対象物の帯電量が第一の所定値よりも多くなったときに電圧印加部の印加電圧を低レベル電圧値に切換えると共に、付着対象物の帯電量が前記第一の所定値よりも少ない第二の所定値よりも少なくなったときに電圧印加部の印加電圧を高レベル電圧値に切換えるものであることを特徴とする請求項１又は請求項２に記載のイオン発生装置。
【発明の詳細な説明】
【技術分野】
【０００１】
本発明は毛髪等の付着対象物にイオンを供給して付着させるイオン発生装置に関する。
【背景技術】
【０００２】
ヘアードライヤやブラシ、アイロンのような毛髪の手入れに用いられる携帯用美容機器等には例えば特許文献１に示すようにマイナスイオンを発生させるイオン発生部を有するものがある。イオン発生部は放電極と放電極に対向する対向電極と電圧印加部とを具備するもので、電圧印加部により放電極及び対向電極間に電圧を印加することでコロナ放電を生じさせてマイナスイオンを発生できるようにしてある。このものは乾燥によりプラスに帯電し易い毛髪にイオン発生部で発生した水分を持つ反対極性のマイナスイオンを吹き付けて付着させることができるようになっており、これにより付着対象物である毛髪を水分率が高い状態に維持できて、髪をしっとりサラサラにでき、髪質を改善できる。
【０００３】
ところで上記特許文献１のイオン発生部を具備する携帯用美容機器等のイオン発生装置にあっては、イオン発生部を予め設定された制御に基づいて制御するものである。従ってイオン発生部を毛髪の帯電量に応じて制御することができず、毛髪の帯電量が多くて放出されたイオンが毛髪に先に付着したイオンと反発して付着し難くなっているにも関わらずイオン発生部から多量のイオンを毛髪に供給したり、逆に毛髪の帯電量が少ないにも関わらずイオン発生部から少量のイオンしか供給されなかったりする等、効率良く毛髪にイオンを供給できなかったり、また毛髪の帯電量が多くなりすぎて毛髪に付着したイオン同士が反発して毛髪が広がったりするといった問題が生じる。
【先行技術文献】
【特許文献】
【０００４】
【特許文献１】特開２００４−５５３５１号公報
【発明の概要】
【発明が解決しようとする課題】
【０００５】
本発明は上記従来の問題点に鑑みて発明したものであって、イオンが付着される付着対象物の帯電量に応じたイオン発生部の適切な制御を実現でき、付着対象物に効率良くイオンを供給できたり、また付着対象物の帯電量を所望の帯電量とすることができるイオン発生装置を提供することを課題とする。
【課題を解決するための手段】
【０００６】
上記課題を解決するために本発明に係るイオン発生装置は、放電極１８と、放電極１８に対向する対向電極１９と、放電極１８及び対向電極１９間に電圧を印加してイオンを発生させる電圧印加部２０を具備するイオン発生部１４を設け、該イオン発生部１４で発生したイオンを付着対象物に供給して付着させるイオン発生装置において、静電圧を誘起して付着対象物の帯電量を検知する非接触式の帯電量検知部２９と、該帯電量検知部２９の検知結果に基づいて付着対象物の帯電量が一定となるようにイオン発生部１４の単位時間当たりのイオン発生量を制御する制御部２７を設けて成ることを特徴とする。上記のように制御部２７により帯電量検知部２９の検知結果に基づいてイオン発生部１４を制御することで、付着対象物の帯電量に応じたイオン発生部１４の適切な制御を実現できる。
【０００７】
また上記イオン発生部１４は放電極１８に液体を供給する液体供給手段を具備して、電圧印加部２０により放電極１８及び対向電極１９間に電圧を印加することで放電極１８に供給された液体を静電霧化してイオンミストを生成する静電霧化装置１５であっても良い。拡散性が良く、また付着対象物への浸透性が高く、また脱臭の効果がある静電霧化によって生じるイオンミストを付着対象物に付着することができる。また制御部２７により帯電量検知部２９の検知結果に基づいて静電霧化装置１５を制御できるので、例えば付着対象物の帯電量が多い場合にはイオンミストの発生量を抑えることができ、この場合電極等の機器の寿命が延び、また液体タンクへの液体の補充の手間を軽減できる。
【０００８】
また上記電圧印加部２０は放電極１８及び対向電極１９間に一方極性の電圧を印加してイオンを発生させるものであり、制御部２７は、付着対象物の帯電量が第一の所定値よりも多くなったときに電圧印加部２０の印加電圧を低レベル電圧値ＶＯＬに切換えると共に、付着対象物の帯電量が前記第一の所定値よりも少ない第二の所定値よりも少なくなったときに電圧印加部２０の印加電圧を高レベル電圧値ＶＯＨに切換えるものであることが好ましい。
【発明の効果】
【０００９】
本発明では付着対象物の帯電量に応じてイオン発生部を制御でき、付着対象物に効率良くイオンを供給できたり、また付着対象物の帯電量を所望の帯電量としたりできる。
【図面の簡単な説明】
【００１０】
【図１】本発明の実施の形態の一例のヘアードライヤを示し、（ａ）は斜視図であり、（ｂ）は側面図である。
【図２】図１（ｂ）のＡ―Ａ線断面図である。
【図３】同様の制御フローである。
【図４】同上の帯電量検知部の出力電圧と、電圧印加部の印加電圧を示すタイムチャートである。
【図５】参考例のヘアードライヤを示し、（ａ）は斜視図であり、（ｂ）は側面図である。
【発明を実施するための形態】
【００１１】
以下、本発明を添付図面に示す実施形態に基いて説明する。なお本実施形態では本発明の技術をヘアードライヤに適用した例を示したが、イオン発生装置としてはこれに限定されるものではなく、例えばブラシやアイロンのような携帯用美容機器等であっても良い。
【００１２】
図１及び図２に示すヘアードライヤ１は長手方向の一端に吸込口２を形成すると共に他端に吹出口３を形成した略横長筒状の本体部４で主体を構成している。なお以下では本体部４の長手方向における吸込口２を設けた一端側を前側イ、吹出口３を設けた他端側を後側ロとし、また本体部４の長手方向に直交する一方向を下側ハ、反対側を上側ニと定義して説明する。
【００１３】
本体部４は前部が円筒状に形成された円筒状部５となり、後部が略球面状に形成された球面状部６となるもので、円筒状部５は球面状部６の前面中央部から前方に向けて一体に突出している。
【００１４】
図２に示すように本体部４の内部には吸込口２と吹出口３を連通接続する空気流路７を形成している。空気流路７は球面状部６の内部に形成された空間部で構成された上流部と、円筒状部５の内側に形成された空間部で構成された下流部とからなる。
【００１５】
空気流路７の上流部にはファンからなる送風部１２を設けてあり、送風部１２を駆動することで本体部４の外部の空気を吸込口２から吸い込んで吹出口３から前方に吹き出せるようになっている。また空気流路７の下流部には流路内の空気を加熱するヒータからなる加熱部１３を設けてあり、加熱部１３及び送風部１２を同時に運転することで加熱部１３により加熱された空気を吹出口３から温風として吹き出せるようになっている。
【００１６】
図１のように本体部４の球面状部６には下側に向けて握り部２３を一体に突設してあり、この握り部２３には電源スイッチ２４を設けている。電源スイッチ２４を「入り」に操作することで、上記のように送風部１２及び加熱部１３を同時に運転して吹出口３から温風を吹き出せるようになっている。
【００１７】
ヘアードライヤ１の本体部４にはイオンを発生させるイオン発生部１４を設けている。イオン発生部１４は空気流路７の左右両外側に位置しており、つまり本体部４の周方向に間隔を介した二箇所にイオン発生部１４が設けられている。イオン発生部１４は液体（本例では水）を静電霧化して負に帯電したイオンミスト（帯電微粒子水）を発生させる静電霧化装置１５からなり、以下各静電霧化装置１５について詳述する。
【００１８】
図２に示すように静電霧化装置１５は、霧化させる液体を貯留する液体タンク１７と、先端（前端）が針状に尖った前後に長い棒状の多孔質セラミックからなる放電極１８と、所定間隔を介して放電極１８の前方に位置して放電極１８の先端に対向する対向電極１９と、放電極１８及び対向電極１９間に高電圧を印加する高電圧発生回路からなる電圧印加部２０とを具備している。
【００１９】
放電極１８は基端側が液体タンク１７に貯留された液体に接触するように液体タンク１７内に挿入された状態で液体タンク１７に保持され、これにより液体タンク１７内の液体を多孔質セラミックからなる放電極１８の毛細管現象による力により放電極１８の先端である放電部２１に搬送できるようになっている。つまり本例では液体タンク１７を放電極１８に液体を供給する液体供給手段としている。また対向電極１９には正面視中央に前方に開口する孔２５を形成している。また対向電極１９及び液体タンク１７の夫々は冷風流路１０に配設したケース２６の前端及び後端の夫々に保持されている。
【００２０】
電圧印加部２０は制御部２７に電気的に接続してあり、該制御部２７により電圧印加部２０による放電極１８及び対向電極１９間への電圧の印加の有無を切り換え可能としている。電圧印加部２０により放電極１８及び対向電極１９間に電圧が印加されると、放電極１８側がマイナス電極となって放電極１８の放電部２１に電荷が集中し、これにより液体タンク１７から供給された放電極１８の放電部２１に保持された液体が対向電極１９側に向けて飛び出し、空気中の高電界中に漂う間にレイリー分裂を繰り返して最終的に粒子径がナノメータサイズのイオンミストを発生させる静電霧化現象が生じ、これによりイオンミストが対向電極１９の孔２５から本体部４の前方に向けて吹き出されることとなる。上記電圧印加部２０による電圧印加の有無は前述の電源スイッチ２４の操作に連動して切換えられるようになっており、つまり電源スイッチ２４を「入り」にした場合には、送風部１２及び加熱部１３が運転されて吹出口３から温風が吹き出され、これと同時に各静電霧化装置１５で発生させたイオンミストが吹出口３から吹き出された風に誘引されて吹き出され、しかして風に乗せて吹き出したイオンミストを付着対象物側に供給して人体の毛髪等の付着対象物に付着することができるようになっている。
【００２１】
上記ヘアードライヤ１の本体部４の球面状部６の前面部（つまりヘアードライヤ１のイオンミストの放出方向を向く面）において正面視で円筒状部５のすぐ上方に位置する箇所には、毛髪等からなる付着対象物の帯電量を検知するための帯電量検知部２９を設けている。帯電量検知部２９は一般的なコンデンサーの静電誘導と同じ原理により静電圧を誘起して出力する非接触式のもので、この出力電圧は検知対象である付着対象物の帯電量が大きい程高くなる特性を有する。また本体部４の球面状部６には報知ブザーからなる報知部１１を設けてあり、この報知部１１と前述の帯電量検知部２９は制御部２７に電気的に接続されている。
【００２２】
そして制御部２７は図３に示すように帯電量検知部２９で検知した検知結果である出力に基づいて静電霧化装置１５の電圧印加部２０及び報知部１１の夫々を制御するように設定されている。具体的には制御部２７は図４に示すように電源スイッチ２４が「入り」の状態の時には常時連続して電圧印加部２０から放電極１８及び対向電極１９間に電圧を印加するもので、電源スイッチ２４が「切り」から「入り」となった時には電圧印加部２０の印加電圧を高レベル電圧値ＶＯＨとして、単位時間当たりのイオンミスト発生量を所定の値にする。この状態を継続すると付着対象物の帯電量は徐々に増加していき、ついには付着対象物の帯電量が第一の所定値よりも大きくなって帯電量検知部２９の出力電圧が予め設定された高レベル所定値ＶＩＨよりも高くなる。このように帯電量検知部２９の出力電圧が高レベル所定値ＶＩＨよりも高くなった場合には、制御部２７は電圧印加部２０の印加電圧を予め設定された低い低レベル電圧値ＶＯＬ（高レベル電圧値ＶＯＨよりも低い値）に切換え、単位時間当たりのイオンミスト発生量を小さくし、同時に報知部１１から音を発して使用者に付着対象物の帯電量が所定量よりも大きくなったことを報知する。この状態を継続すると付着対象物の帯電量は徐々に減少していき、ついには付着対象物の帯電量が第二の所定値よりも小さくなって帯電量検知部２９の出力電圧が予め設定された低レベル所定値ＶＩＬ（前記高レベル所定値ＶＩＨよりも低い値）よりも低くなる。このように帯電量検知部２９の出力電圧が低レベル所定値ＶＩＬよりも低くなった場合には、制御部２７は電圧印加部２０の印加電圧を再び前記高レベル電圧値ＶＯＨに切換え、単位時間当たりのイオンミスト発生量を大きくする。そして以下同様の制御を繰り返し行い、電源スイッチ２４が「切り」に切り換えられた時点で電圧印加部２０による放電極１８及び対向電極１９間への電圧の印加を停止する。なお上記報知部１１による報知は報知開始から一定時間のみ行っても良いし、報知開始から次に帯電量検知部２９の出力電圧が低レベル所定値ＶＩＬや高レベル所定値ＶＩＨよりも低くなる時まで行っても良い。
【００２３】
このように制御部２７は帯電量検知部２９で検知した検知結果に基づいて付着対象物の帯電量が一定となるように静電霧化装置１５で発生させる単位時間当たりのイオンミストの発生量を自動的に制御でき、これにより付着対象物の帯電量を所定の範囲内に一定に保つことができる。従って付着対象物の帯電量が大きくて放出されたイオンミストが付着対象物に先に付着したイオンミストと反発して付着し難くなっているにも関わらず静電霧化装置１５から多量のイオンミストを毛髪に供給してしまったり、逆に付着対象物の帯電量が少ないにも関わらず静電霧化装置１５から少量のイオンミストしか供給されなかったりすることを防止でき、静電霧化装置１５から効率良く付着対象物にイオンミストを供給して付着することができる。またこのように付着対象物の帯電量が多い場合にはイオンミストの発生量を抑えるため、電極等の機器の寿命が延び、また液体タンク１７への液体の補充の手間が軽減される。また帯電量検知部２９の検知結果に基づいて静電霧化装置１５を制御することで毛髪の帯電量を毛髪に付着したイオンミスト同士が反発して毛髪が広がらない程度の値とすることができ、これにより毛髪の拡がりを抑えてまとまり感をもたせることができる。
【００２４】
また帯電量検知部２９は付着対象物に帯電量検知部２９を接触させることなく付着対象物の帯電量を検知できる非接触式のものであるのでヘアードライヤ１の使用性が良い。
【００２５】
また帯電量検知部２９の検知結果に基づいて報知部１１を制御しているので使用者は付着対象物の帯電量を把握でき、また特に本例では付着対象物の帯電量が所定量を越えた場合に報知ブザーで付着対象物にイオンミストが過剰に付着したことを使用者に報知するようにしているため、使用者が静電霧化装置１５の運転状態の変化に気付いて静電霧化装置１５が故障したと勘違いすることを防止できる。
【００２６】
次に上記とは異なる参考例のイオン発生装置を図５に示す。なお本参考例では上記一例のイオン発生装置と同一の構成については同一の番号を付与してあり、重複する説明については説明を省略する。
【００２７】
図５に示す帯電量検知部２９は付着対象物に接触させて付着対象物から流れてくる帯電電荷を計測することで付着対象物の帯電量を検知できる接触式のものである。この接触式の帯電量検知部２９はヘアードライヤ１を使用する際に手で握られる部分である握り部２３の外面に設けてあり、該握り部２３を握って使用しているある程度導電性のある人体を介して間接的に付着対象物である毛髪の帯電量を検知できるようになっている。このように帯電量検知部２９を接触式とすることで付着対象物に過剰に貯えられた電荷を除去できる。
【００２８】
なお上記いずれの例においてもイオン発生部１４を静電霧化装置１５としたが、イオン発生部１４は、放電極１８と、放電極１８に対向する対向電極１９と、放電極１８及び対向電極１９間に電圧を印加することでコロナ放電を生じさせてイオン（好ましくはマイナスイオン）を発生させる電圧印加部２０を具備したコロナ放電装置であっても良い。また上記静電霧化装置１５の液体タンク１７内に液体が存在する時には上記同様放電極１８及び対向電極１９間に電圧を印加することで静電霧化を生じさせてイオンミストを発生し、液体タンク１７内に液体が存在しない時には放電極１８及び対向電極１９間に電圧を印加することでコロナ放電を生じさせてイオン（好ましくはマイナスイオン）を発生できるようにしても良く、この場合には液体タンク１７内に液体が存在しない時にもイオンを発生させることができる。また上記静電霧化装置によって生じたイオンミストは温風と共に付着対象物側に送られるようにしたが、加熱部１３によって加熱されていない冷風と共に付着対象物側に送られるようにしても良いし、またヘアードライヤ１を吹出口３から加熱部１３によって加熱された空気からなる温風と加熱されていない冷風とを同時に出せるようにし、イオンミストを温風及び又は冷風と共に付着対象物側に送られるようにしても良い。また空気流路７中に静電霧化装置１５を設けても良いものとする。
【符号の説明】
【００２９】
１  ヘアードライヤ
１４  イオン発生部
１８  放電極
１９  対向電極
２０  電圧印加部
２７  制御部
【図１】
2010062159.tif 000003
【図２】
2010062159.tif 000004
【図３】
2010062159.tif 000005
【図４】
2010062159.tif 000006
【図５】
2010062159.tif 000007